(57)【要約】      （修正有）【解決手段】ヘッド本体１および蓋板２により構成される。ヘッド本体にはフェース板１１と少なくとも一個の組立口１３が設けられる。蓋板には厚結合部２２と薄壁部２１が設けられる。厚結合部は少なくとも蓋板の背面リップ縁の局部の区域に形成され、薄壁部は蓋板の背面のその他の部位に形成される。蓋板は少なくとも厚結合部を利用してヘッド本体の組立口に組み立てて結合されることにより、組立結合の信頼性を高めるように構成されている。【効果】蓋板の背面のリップ縁において厚結合部が形成され、蓋板の背面のその他の部位には薄壁部が形成され、蓋板は厚結合部を利用してヘッド本体を結合することにより、薄型蓋板の結合強度を確実に強化し、さらに組立の信頼性を高めることができる。【選択図】図１
0003113023.tif 000002
【実用新案登録請求の範囲】
【請求項１】
ヘッド本体（１）および蓋板（２）により構成される薄型の蓋板を有するゴルフクラブヘッド構造であって、ヘッド本体（１）にはフェース板（１１）と少なくとも一個の組立口（１３）が設けられ、蓋板（２）には厚結合部（２２）と薄壁部（２１）が設けられ、厚結合部（２２）は少なくとも蓋板（２）の背面リップ縁の局部の区域に形成され、薄壁部（２１）は蓋板（２）の背面のその他の部位に形成され、そして厚結合部（２２）の肉厚は薄壁部（２１）の肉厚より相対的に大きくなるように形成され、その中に厚結合部（２２）の肉厚は２.０mm以下で、薄壁部（２１）の肉厚は１.０mm以下であり、蓋板（２）は少なくとも厚結合部（２２）を利用してヘッド本体（１）の組立口（１３）に組み立てて結合されることにより、組立結合の信頼性を高めることを特徴とする薄型の蓋板を有するゴルフクラブヘッド構造。
【請求項２】
組立口（１３）は選択的にヘッド本体（１）のクラウン部、ソール部、側壁部、背部の位置に設けられることを特徴とする請求項１記載の薄型の蓋板を有するゴルフクラブヘッド構造。
【請求項３】
蓋板（２）はクラウン板、ソール板、側板、背板から選択することを特徴とする請求項１記載の薄型の蓋板を有するゴルフクラブヘッド構造。
【請求項４】
ヘッド本体（１）の組立口（１３）には他に階段状部（１３１）が設けられ、階段状部（１３１）は蓋板（２）の厚結合部（２２）を支持するのに用いられることを特徴とする請求項１記載の薄型の蓋板を有するゴルフクラブヘッド構造。
【請求項５】
厚結合部（２２）の幅は実質的にヘッド本体（１）の組立口（１３）の階段状部（１３１）の幅より大きくまたは同じになるように選択することを特徴とする請求項４記載の薄型の蓋板を有するゴルフクラブヘッド構造。
【請求項６】
組立口（１３）の階段状部（１３１）には他に内フランジ（１３２）が設けられ、内フランジ（１３２）は厚結合部（２２）を係止するのに用いられることにより、結合の信頼性を増やすことを特徴とする請求項４記載の薄型の蓋板を有するゴルフクラブヘッド構造。
【請求項７】
組立口（１３´）の階段状部（１３１´）には他に環状溝（１３２´）が設けられ、さらに蓋板（２´）の厚結合部（２２´）には対応するように底フランジ（２２１´）が形成され、厚結合部（２２´）の底フランジ（２２１´）は階段状部（１３１´）の環状溝（１３２´）の内部に係止して進入することにより、結合の信頼性を増やすことを特徴とする請求項４記載の薄型の蓋板を有するゴルフクラブヘッド構造。
【請求項８】
蓋板（２）の薄型部（２１）の背面には他に少なくとも一個の突出リブ（２３）が設けられ、突出リブ（２３）の肉厚は薄型部（２１）の肉厚より大きくなるように形成され、突出リブ（２３）は薄型部（２１）の構造の強度を強化するのに用いられることを特徴とする請求項１記載の薄型の蓋板を有するゴルフクラブヘッド構造。
【請求項９】
突出リブ（２３）は厚結合部（２２）に連接されることを特徴とする請求項８記載の薄型の蓋板を有するゴルフクラブヘッド構造。
【請求項１０】
突出リブ（２３）の肉厚は実質的に厚結合部（２３）の肉厚より小さく、大きくまたは同じになるように選択することを特徴とする請求項８記載の薄型の蓋板を有するゴルフクラブヘッド構造。
【請求項１１】
蓋板（２）の突出リブ（２３）の排列する方向はヘッド本体（１）のフェース板（１１）の断面の方向とは平行にならないように形成されることを特徴とする請求項８記載のモーターの構造。
【考案の詳細な説明】
【技術分野】
【０００１】
本考案は、薄型の蓋板を有するゴルフクラブヘッド構造に関するもので、特に蓋板は背面のリップ縁において厚結合部を形成することにより、ヘッド本体と結合すると共に、結合の強度を強化し、組立の信頼性を高めるゴルフクラブヘッド構造に係るものである。
【背景技術】
【０００２】
従来の薄型の蓋板を有するゴルフクラブヘッド構造としては、ヘッド本体および薄型クラウン板が含まれる。上記ヘッド本体は正面においてフェース板が設けられ、そして他に上面において開口部が形成される。薄型クラウン板は熔接（welding）または硬ろう付け（brazing）の技術を利用して上記ヘッド本体の上面の開口部に結合され、そして上記薄型クラウン板の肉厚は０.７mm以下で、硬度がＨＲＣ３５以上であるようにとしたものがある（例えば、特許文献１を参照）。
【０００３】
また、従来の薄型の蓋板を有するゴルフクラブヘッド構造としては、薄金属殻体および薄金属ソール板が含まれる。上記薄金属殻体は正面においてフェース板が設けられ、そして底面において開口部が形成される。上記薄金属ソール板は熔接などの技術を利用して上記薄金属殻体の底面の開口部に結合されるようにとしたものがある（例えば、特許文献２を参照）。
【特許文献１】中華民国公告番号第Ｍ２５６２１０号公報
【特許文献２】アメリカ特許番号第４，４２９，８７９号
【考案の開示】
【考案が解決しようとする課題】
【０００４】
ゴルフクラブヘッドの領域において、業界では適当に高硬度の鉄金属または非鉄金属を選択して利用することにより、蓋板（クラウン板またはソール板）の構造の強度を確保する下で、さらに上記蓋板の肉厚を有効に低く抑えることにより、上記蓋板の弾性変形の能力を相対的に増やしたり、またはゴルフクラブヘッドの大型化に役立ったりすることができる。しかし、上記薄型クラウン板が薄くなった時、上記蓋板とヘッド本体の開口部の結合部は同期に薄くなる。その結果、熔接または硬ろう付けの製造工程を行う時、上記蓋板の結合部とヘッド本体とは充分な結合の強度を形成することができないため、熔接の位置において亀裂が生じるかもしれず、またひどい時には上記蓋板が脱落してしまう恐れもあり、さらにゴルフクラブヘッドの使用寿命が相対的に短くなるという問題点があった。このように、上記のような従来の薄型の蓋板を有するゴルフクラブヘッド構造をさらに改良しなければならない。
【０００５】
本考案はこのような問題点に鑑みて考案したものであって、その目的とするところは、蓋板の背面のリップ縁において厚結合部が形成され、蓋板の背面のその他の部位には薄壁部が形成され、蓋板は厚結合部を利用してヘッド本体を結合することができるため、薄型蓋板の結合強度を確実に強化し、さらに組立の信頼性を高めることができる薄型の蓋板を有するゴルフクラブヘッド構造を提供しようとするものである。
【０００６】
本考案の第一の目的は、蓋板の背面のリップ縁において厚結合部が形成され、厚結合部によりヘッド本体と結合することができるため、薄型蓋板の結合強度を強化し、さらに組立の信頼性を高めることができる薄型の蓋板を有するゴルフクラブヘッド構造を提供しようとするものである。
【０００７】
本考案の第二の目的は、蓋板の背面において厚結合部と少なくとも一個の突出リブが形成され、厚結合部はヘッド本体と結合するのに用いられ、突出リブは蓋板を強化するのに用いられるため、薄型蓋板の構造の強度を強化することができる薄型の蓋板を有するゴルフクラブヘッド構造を提供しようとするものである。
【０００８】
上記目的を達成するために、本考案による薄型の蓋板を有するゴルフクラブヘッド構造は、下記のようになるものである。すなわち、
ヘッド本体および蓋板により構成される。ヘッド本体にはフェース板と少なくとも一個の組立口が設けられる。蓋板には厚結合部と薄壁部が設けられ、厚結合部は少なくとも蓋板の背面リップ縁の局部の区域に形成され、薄壁部は蓋板の背面のその他の部位に形成され、そして厚結合部の肉厚は薄壁部の肉厚より相対的に大きくなるように形成される。その中に厚結合部の肉厚は２.０mm以下で、薄壁部の肉厚は１.０mm以下であり、蓋板は少なくとも厚結合部を利用してヘッド本体の組立口に組み立てて結合されることにより、組立結合の信頼性を高める。
【０００９】
本考案による薄型の蓋板を有するゴルフクラブヘッド構造は、組立口は選択的にヘッド本体のクラウン部、ソール部、側壁部、背部の位置に設けられることもできる。また、蓋板はクラウン板、ソール板、側板、背板から選択することもできる。また、ヘッド本体の組立口には他に階段状部が設けられ、階段状部は蓋板の厚結合部を支持するのに用いられることもできる。また、厚結合部の幅は実質的にヘッド本体の組立口の階段状部の幅より大きくまたは同じになるように選択することもできる。また、組立口の階段状部には他に内フランジが設けられ、内フランジは厚結合部を係止するのに用いられることにより、結合の信頼性を増やすこともできる。また、組立口の階段状部には他に環状溝が設けられ、さらに蓋板の厚結合部には対応するように底フランジが形成され、厚結合部の底フランジは階段状部の環状溝の内部に係止して進入することにより、結合の信頼性を増やすこともできる。また、蓋板の薄型部の背面には他に少なくとも一個の突出リブが設けられ、突出リブの肉厚は薄型部の肉厚より大きくなるように形成され、突出リブは薄型部の構造の強度を強化するのに用いられることもできる。また、突出リブは厚結合部に連接されることもできる。また、突出リブの肉厚は実質的に厚結合部の肉厚より小さく、大きくまたは同じになるように選択することもできる。また、蓋板の突出リブの排列する方向はヘッド本体のフェース板の断面の方向とは平行にならないように形成されることもできる。
【考案の効果】
【００１０】
本考案の薄型の蓋板を有するゴルフクラブヘッド構造によれば、蓋板の背面のリップ縁において厚結合部が形成され、厚結合部によりヘッド本体と結合することができるため、薄型蓋板の結合強度を強化し、さらに組立の信頼性を高めることができるという利点がある。
【００１１】
本考案の薄型の蓋板を有するゴルフクラブヘッド構造によれば、蓋板の背面において厚結合部と少なくとも一個の突出リブが形成され、厚結合部はヘッド本体と結合するのに用いられ、突出リブは蓋板を強化するのに用いられるため、薄型蓋板の構造の強度を強化することができるという利点がある。
【考案を実施するための最良の形態】
【００１２】
本考案の実施の形態について、以下、図面を参照して説明する。
【実施例１】
【００１３】
図１を参照すると、本考案の薄型の蓋板を有するゴルフクラブヘッド構造にはヘッド本体１および蓋板２（クラウン板）が含まれる。ヘッド本体１はウッド型、アイアン型またはパター型などの従来のヘッドの構造から選択することができるが、本考案では下記においてウッド型ヘッドを例に挙げるため、その他のヘッドの基本構造については再び詳しく説明しない。
【００１４】
図１、２を参照すると、本考案の実施例１のヘッド本体１は適当な金属、合金材料または非金属材料により製成される。ヘッド本体１にはフェース板１１、ホーゼル１２と組立口１３が設けられる。フェース板１１とホーゼル１２は従来の構造に属すると共に、一体成形、熔接、硬ろう付け、圧合嵌設、螺設、貼接などの方式によりヘッド本体１に形成される。組立口１３はヘッド本体１のクラウン部（crown）に設けられ、組立口１３の内周面には好ましくは選択的に連続状または不連続状の方式によって階段状部１３１が形成される。階段状部１３１は蓋板２を組み立てて結合するのに用いられる。
【００１５】
再び図１、２を参照すると、本考案の実施例１の蓋板２（クラウン板）も適当な金属、合金材料または非金属材料により製成される。蓋板２には薄壁部２１と厚結合部２２が設けられる。蓋板２は背面のリップ縁の位置から厚結合部２２が形成され、さらに蓋板２のその他の部位には薄壁部２１が形成される。厚結合部２２の肉厚は薄壁部２１の肉厚より相対的に大きくなるように形成される。また、厚結合部２２の肉厚は好ましくは２.０mmより大きくならないように形成され、特に１.０mmより大きくならないように形成される。薄壁部２１の肉厚は好ましくは１.０mmより大きくならないように形成され、特に０.７mmより大きくならないように形成される。厚結合部２２の幅は実質的にヘッド本体１の組立口１３の階段状部１３１の幅と同じになるように選択することができる。
【００１６】
図２、３を参照すると、組立時において、蓋板２を初歩的にヘッド本体１の組立口１３の内部に嵌入させ、組立口１３の階段状部１３１は蓋板２の厚結合部２２を初歩的に支持するのに用いられる。それから、適当な方式を選択して蓋板２とヘッド本体１を結合し、例えば従来の熔接（例えばタングステンイナートガスアーク熔接）、高エネルギーの熔接方式（例えばレーザービーム熔接、プラズマアーク熔接、電子ビーム熔接）、硬ろう付け、貼接または圧合の方式を利用することができる。結合を行う時、蓋板２の厚結合部２２には相対的に比較的大きい肉厚を有するように形成されることにより、熔接、硬ろう付け、貼接または圧合による結合を行っても、厚結合部２２は全て充分な構造の強度を保つことができるため、蓋板２の完全性を確保すると共に、蓋板２が破裂してしまうのを避けることができ、さらにヘッド本体１の組立口１３と安定した結合の関係を形成することができる。また、充分な結合の強度と構造の強度を保持する下で、蓋板２の薄壁部２１の肉厚をできるだけ減らすことにより、蓋板２の弾性変形の能力を増やすことができると共に、ゴルフクラブヘッドの薄壁化と体積の大型化を獲得するのに役立つことができる。
【実施例２】
【００１７】
図４、５、６を参照すると、本発明の実施例２の薄型の蓋板を有するゴルフクラブヘッド構造が掲示される。実施例１と比較すると、実施例２において蓋板２は背面のリップ縁の特定な局部の区域のみにおいて選択的に厚結合部２２を設置し、例えば選択的に蓋板２がフェース板１１に近寄る側において厚結合部２２を設置する。これにより、本考案においては局部の構造の強度と結合の強度を重点的に強化することができると共に、蓋板２の構造を簡単にすることができる。また、ヘッド本体１の組立口１３の階段状部１３１において選択的に内フランジ１３２を設置することができる。初歩的に組立を行う時、組立口１３の階段状部１３１は蓋板２の厚結合部２２を支持するのに用いられ、そして内フランジ１３２は厚結合部２２を係止するのに用いられることにより、結合の信頼性をさらに増やすことができる。
【実施例３】
【００１８】
図７、８、９を参照すると、本発明の実施例３の薄型の蓋板を有するゴルフクラブヘッド構造が掲示される。実施例１と比較すると、実施例３において蓋板２は背面のリップ縁において厚結合部２２を設置する他に、薄壁部２１の背面においてはさらに選択的に少なくとも一個の突出リブ２３が設置される。突出リブ２３は厚結合部２２に連接され、そして突出リブ２３の肉厚は実質的に厚結合部２３の肉厚より小さく、大きくまたは同じになるように選択することができるが、突出リブ２３の肉厚は必ず薄壁部２１の肉厚より大きくならなければならない。また、厚結合部２２の幅は実質的にヘッド本体１の組立口１３の階段状部１３１の幅より大きくなるように選択することができる。さらに、図７、８、９に示すように、突出リブ２３も選択的に適当な形状を形成することができ、例えば円弧形、長条形またはＶ字形を形成することができる。ただし、突出リブ２３の排列する方向は好ましくはフェース板１１を形成する断面方向とは平行にならないように形成される。これにより、フェース板１１が打球の応力を受けることにより、蓋板２が連帯的に弾性変形をした時、突出リブ２３により蓋板２の弾性変形の能力に影響を及ぼさない状態で、比較的よい構造の強度をさらに提供することができる。
【実施例４】
【００１９】
図１０、１１、１２を参照すると、本発明の実施例４の薄型の蓋板を有するゴルフクラブヘッド構造が掲示される。実施例１と比較すると、実施例４においてヘッド本体１のソール部（sole）において組立口１３´を設置する。組立口１３´には階段状部１３１´が設けられ、組立口１３´は蓋板２´（ソール板）を組み立てて結合するのに用いられる。蓋板２´にも同様に薄壁部２１´と厚結合部２２´が設けられる。厚結合部２２´は選択的に蓋板２´の背面のリップ縁またはリップ縁の特定な局部の区域に設けられる。また、同じ原理に基づいてヘッド本体１にも選択的に側壁部（skirt）または背部（rear）において組立口（図示せず）を設置することにより、厚結合部を有する側板または背板（図示せず）と組み立てることができる。これにより、同様に各タイプの蓋板の組立の信頼性を増やすことができる。その他に、階段状部１３１´においては環状溝１３２´が凹むように設けられ、さらに厚結合部２２´には対応するように底フランジ２２１´が形成される。初歩的な組立時において、蓋板２´の厚結合部２２´の底フランジ２２１´は階段状部１３１´の環状溝１３２´の内部に係止して進入することができるため、結合の信頼性をさらに増やすことができる。
【産業上の利用可能性】
【００２０】
上述の如く、従来の薄型の蓋板を有するゴルフクラブヘッド構造によれば、薄型蓋板には薄過ぎた結合部しかヘッド本体と組み立てて結合することができないため、結合の信頼性を確保することができないなどの問題点があったが、図１に示す本考案の薄型の蓋板を有するゴルフクラブヘッド構造によれば、少なくとも蓋板２（クラウン板）の背面のリップ縁の局部の区域において厚結合部２２を設置することにより、蓋板２の構造の強度を確実に強化することができると共に、蓋板２とヘッド本体１との結合の強度を強化することができ、さらに薄型蓋板の組立の信頼性を高めることができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施例１のゴルフクラブヘッド構造を示す局部破砕分解斜視図である。
【図２】本考案の実施例１の蓋板とヘッド本体が結合を行う前における局部の拡大断面である。
【図３】本考案の実施例１の蓋板とヘッド本体が結合を完成した後における局部の拡大断面である。
【図４】本考案の実施例２のゴルフクラブヘッド構造を示す局部破砕分解斜視図である。
【図５】本考案の実施例２の蓋板とヘッド本体が結合を行う前における局部の拡大断面である。
【図６】本考案の実施例２の蓋板とヘッド本体が結合を完成した後における局部の拡大断面である。
【図７】本考案の実施例３のゴルフクラブヘッド構造を示す局部破砕分解斜視図である。
【図８】本考案の実施例３のもう一つのゴルフクラブヘッド構造を示す局部破砕分解斜視図である。
【図９】本考案の実施例３のもう一つのゴルフクラブヘッド構造を示す局部破砕分解斜視図である。
【図１０】本考案の実施例４のゴルフクラブヘッド構造を示す局部破砕分解斜視図である。
【図１１】本考案の実施例４の蓋板とヘッド本体が結合を行う前における局部の拡大断面である。
【図１２】本考案の実施例４の蓋板とヘッド本体が結合を完成した後における局部の拡大断面である。
【符号の説明】
【００２３】
１    ヘッド本体                    １１    フェース板
１２    ホーゼル                      １３    組立口
１３１    階段状部                    １３２    内フランジ
１３´    組立口                    １３１´    階段状部
１３２´    環状溝                        ２    蓋板（クラウン板）
２１    薄壁部                        ２２    厚結合部
２´    蓋板（ソール板）            ２１´    薄壁部
２２´    厚結合部                  ２２１´    底フランジ
２３    突出リブ
【図１】
0003113023.tif 000003
【図２】
0003113023.tif 000004
【図３】
0003113023.tif 000005
【図４】
0003113023.tif 000006
【図５】
0003113023.tif 000007
【図６】
0003113023.tif 000008
【図７】
0003113023.tif 000009
【図８】
0003113023.tif 000010
【図９】
0003113023.tif 000011
【図１０】
0003113023.tif 000012
【図１１】
0003113023.tif 000013
【図１２】
0003113023.tif 000014